(57)【要約】【課題】タグ情報を利用して施設を検索する検索装置において、ユーザの要望を満たすような施設検索を可能とする。【解決手段】予め定められた第１の基準に基づいて施設と関連付けされた第１のタグ情報を利用して検索を実施する第１の検索手段と、第１の基準と異なる第２の基準に基づいて施設と関連付けされた第２のタグ情報を利用して検索を実施する第２の検索手段と、を備え、第１の検索手段と第２の検索手段のいずれかのうち、ユーザにより選択された検索手段で施設を検索する。【選択図】図２
2014016893.tif 000002
【特許請求の範囲】
【請求項１】
タグ情報を利用して施設を検索する検索装置であって、
予め定められた第１の基準に基づいて前記施設と関連付けされた第１のタグ情報を利用して検索を実施する第１の検索手段と、
前記第１の基準と異なる第２の基準に基づいて前記施設と関連付けされた第２のタグ情報を利用して検索を実施する第２の検索手段と、を備え、
前記第１の検索手段と前記第２の検索手段のいずれかのうち、ユーザにより選択された前記検索手段で前記施設を検索することを特徴とする検索装置。
【請求項２】
前記第２の検索手段は、前記第２のタグ情報と、前記第１のタグ情報の両方を利用して検索を実施することを特徴とする請求項１に記載の検索装置。
【請求項３】
前記第２のタグ情報には、ユーザのシチュエーションに適した施設を検索するためのシチュエーション検索用のキーワードが含まれており、
前記第２の検索手段は、前記第２のタグ情報を利用してユーザのシチュエーションに適した施設を検索することを特徴とする請求項１または２に記載の検索装置。
【請求項４】
前記第２のタグ情報には、前記シチュエーション検索用のキーワードとして、店内、持ち帰り、ドライブイン、休憩、睡眠、読書、漫画、雑誌のうち少なくとも１つが含まれることを特徴とする請求項３に記載の検索装置。
【請求項５】
検索キーワードを受け付ける受付手段と、
前記受付手段により受け付けられた前記検索キーワードを前記第２のタグ情報に含まれるユーザのシチュエーションに適したキーワードに変換するキーワード変換手段と、を備え、
前記第２の検索手段は、前記キーワード変換手段により変換された前記キーワードに基づいてユーザのシチュエーションに適した施設を検索することを特徴とする請求項３または４に記載の検索装置。
【請求項６】
出発地および目的地を設定する目的地設定手段と、
前記目的地設定手段により設定された前記目的地に基づいて前記第２のタグ情報に含まれるユーザのシチュエーションに適したキーワードを推測するキーワード推測手段と、を備え、
前記第２の検索手段は、前記キーワード推測手段により推測された前記キーワードに基づいてユーザのシチュエーションに適した施設を検索することを特徴とする請求項３ないし５のいずれか１つに記載の検索装置。
【請求項７】
目的地に到る案内経路を探索する経路探索手段を備え、
前記第２の検索手段は、前記ユーザのシチュエーションに適した施設を検索し、前記案内経路の周辺に絞り込んで検索結果を提示することを特徴とする請求項６に記載の検索装置。
【請求項８】
タグ情報を利用して施設を検索する検索方法であって、
予め定められた第１の基準に基づいて前記施設と関連付けされた第１のタグ情報を利用して検索を実施する第１の検索手段と、前記第１の基準と異なる第２の基準に基づいて前記施設と関連付けされた第２のタグ情報を利用して検索を実施する第２の検索手段との検索手段のいずれかのうち、ユーザにより選択された前記検索手段で前記施設を検索することを特徴とする検索方法。
【請求項９】
各施設に対して、施設をジャンル毎に分類する際に用いられる第１のタグ情報と、施設に関連する情報が格納された第２のタグ情報とを記憶した記憶手段と、
第１のタグ情報を利用して施設を検索する第１の検索手段と、
少なくとも第２のタグ情報を利用して施設を検索する第２の検索手段と、を備え、
前記第１の検索手段と前記第２の検索手段のいずれかにより、前記施設を検索することを特徴とする検索装置。
【請求項１０】
音声入力のときには、前記第２の検索手段により、前記施設を検索することを特徴とする請求項９に記載の検索装置。
【発明の詳細な説明】
【技術分野】
【０００１】
本発明は、タグ情報を利用して施設を検索する検索装置および検索方法に関するものである。
【背景技術】
【０００２】
従来より、目的地に設定する施設を検索する機能を有する装置が種々提案されている（例えば、特許文献１参照）。
【先行技術文献】
【特許文献】
【０００３】
【特許文献１】特開２０００−２６６５５１号公報
【発明の概要】
【発明が解決しようとする課題】
【０００４】
ところで、従来の検索装置では、ジャンル検索を実施する場合、カテゴリ（施設分類）別に施設と関連付けしたタグ情報を利用してジャンル検索を実施するようになっている。例えば、イタリアンレストランである「イタリアンＡ店」に対し、「食べる」、「洋食」、「レストラン」といったタグ情報が関連付けされており、ユーザにより「食べる」、「洋食」、「レストラン」のうちのいずれかのキーワードが入力されると、この入力されたキーワードを含むタグ情報が関連付けされた「イタリアンＡ店」が検索されるようになっている。
【０００５】
しかしながら、このような検索装置は、タグ情報の関連付けが必ずしもユーザの要望を満たすようなものとなっていない場合がある。例えば、コンビニエンストアである「コンビニＣ店」に対し、「コンビニ」というカテゴリ（施設分類）でタグ情報が関連付けされているものの、「食べる」や「持ち帰り」といったキーワードがタグ情報として関連付けされていない場合がある。このような場合、漠然とした「食べる」、「持ち帰り」といったキーワードで検索してもコンビニエンストアの「コンビニＣ店」を検索することはできない。したがって、ユーザは、カテゴリ（施設分類）を考慮して、再度、「コンビニ」というキーワードを指定して再検索する必要があった。
【０００６】
本発明は上記点に鑑みたもので、タグ情報を利用して施設を検索する検索装置において、よりユーザの要望を満たすような施設検索を可能とすることを目的とする。
【課題を解決するための手段】
【０００７】
上記目的を達成するため、請求項１に記載の発明は、タグ情報を利用して施設を検索する検索装置であって、予め定められた第１の基準に基づいて施設と関連付けされた第１のタグ情報を利用して検索を実施する第１の検索手段と、第１の基準と異なる第２の基準に基づいて施設と関連付けされた第２のタグ情報を利用して検索を実施する第２の検索手段と、を備え、第１の検索手段と第２の検索手段のいずれかのうち、ユーザにより選択された検索手段で施設を検索することを特徴としている。
【０００８】
このような構成によれば、予め定められた第１の基準に基づいて施設と関連付けされた第１のタグ情報を利用して検索を実施する第１の検索手段と、第１の基準と異なる第２の基準に基づいて施設と関連付けされた第２のタグ情報を利用して検索を実施する第２の検索手段と、を備え、第１の検索手段と第２の検索手段のいずれかのうち、ユーザにより選択された検索手段で施設を検索するので、例えば、第１の検索手段でユーザの要望を満たすような検索結果が得られないような場合でも、第２の検索手段でユーザの要望を満たすような検索結果を得ることが可能であり、タグ情報を利用して施設を検索する検索装置において、ユーザの要望を満たすような施設検索を可能とすることができる。
【０００９】
また、上記請求項１に記載された検索装置としての発明は、請求項８に記載された発明のように、検索方法の発明として捉えることもできる。
【図面の簡単な説明】
【００１０】
【図１】本発明の第１実施形態に係る検索装置の構成を示す図である。
【図２】ジャンル検索およびシチュエーション検索に用いられるＰＯＩデータの構成例を示す図である。
【図３】第１実施形態に係る検索装置の制御部のフローチャートである。
【図４】第１実施形態に係る検索装置の制御部のシチュエーション検索処理のフローチャートである。
【図５】シチュエーション検索について説明するための図である。
【図６】第２実施形態に係る検索装置の制御部のシチュエーション検索処理のフローチャートである。
【発明を実施するための形態】
【００１１】
（第１実施形態）
本発明の第１実施形態に係る検索装置の構成を図１に示す。本実施形態における検索装置は、ナビゲーション装置１によって構成されている。本ナビゲーション装置１は、自車位置検出器１０、地図データ入力器１５、表示部１６、入力装置１７、音声出力装置１８および制御部１９を備えている。
【００１２】
自車位置検出器１０は、ＧＰＳ受信機１１、ジャイロスコープ１２、車速センサ１３、地磁気センサ１４を有しており、これらセンサから出力される現在位置を特定するための情報を制御部１９に出力する。
【００１３】
地図データ入力器１５は、位置検出の精度向上のためのいわゆるマップマッチング用データ、地図を表示するための地図表示データ、リンクやノードを示す道路データ、施設情報等の地図データを入力するための装置である。なお、地図データを記憶する記憶媒体としては、ＣＤ−ＲＯＭ、ＤＶＤ−ＲＯＭ、ハードディスクドライブ等が用いられる。
【００１４】
表示部１６は、液晶等のカラー表示が可能なディスプレイを有し、制御部１９から入力される映像信号に応じた映像をディスプレイに表示させる。
【００１５】
入力装置１７は、表示部１６のディスプレイに重ねて設けられたタッチスイッチおよび表示部１６のディスプレイの周囲に設けられたメカニカルスイッチ、車室内の音声を集音するマイク等によって構成され、ユーザのスイッチ操作、あるいはユーザの音声に応じた信号を制御部１９へ出力する。
【００１６】
音声出力装置１８は、制御部１９から入力される音声信号に応じた音声を出力するためのものである。
【００１７】
制御部１９は、ＣＰＵ、メモリ、Ｉ／Ｏ等を備えたコンピュータとして構成されており、ＣＰＵはメモリに記憶されたプログラムに従って各種処理を実施する。
【００１８】
制御部１９が実施する処理としては、自車位置検出器１０から入力される信号に基づいて周期的に自車位置を算出し、現在地情報としてメモリに記憶させる自車位置算出処理、自車位置周辺の地図上に自車位置マークを重ねて表示させる地図表示処理、ユーザにより入力された検索条件に基づいて各種検索を行う検索処理、出発地から目的地に至る最適な案内経路を探索する経路探索処理、案内経路に従って走行案内を行う走行案内処理等がある。
【００１９】
なお、検索処理には、五十音検索、電話番号検索、住所検索、施設検索等がある。施設検索は、施設と関連付けされたタグ情報を利用してジャンル検索を実施する。
【００２０】
本実施形態における施設検索には、ジャンル検索（第１の検索手段に相当する）とシチュエーション検索（第２の検索手段に相当する）とがあり、ジャンル検索とシチュエーション検索のいずれかのうち、ユーザにより選択された検索方法で施設検索を実施するようになっている。
【００２１】
なお、ジャンル検索は、カテゴリ別となるように、第１の基準に基づいて施設と関連付けした第１のタグ情報を利用してジャンル検索を実施し、シチュエーション検索は、ユーザのシチュエーションに適した施設を検索できるように、第２の基準に基づいて施設と関連付けした第２のタグ情報を利用してシチュエーション検索を実施する。ただし、本実施形態において、シチュエーション検索は、第１のタグ情報と第２のタグ情報の両方を利用して検索を実施する。
【００２２】
図２に、ジャンル検索およびシチュエーション検索に用いられるＰＯＩ（Ｐｏｉｎｔ  ｏｆ  Ｉｎｔｅｒｅｓｔ）データの構成例を示す。図に示すように、ＰＯＩデータは、各施設を表すＰＯＩリストに対し、第１のタグ情報と第２のタグ情報とを関連付けしたものとなっている。
【００２３】
第１のタグ情報は、従来のナビゲーション装置と同様のものであり、カテゴリ（施設分類）別に施設と関連付けされたものである。第１のタグ情報には、施設をジャンル別に検索するためのジャンル検索用のキーワードが含まれている。
【００２４】
また、第２のタグ情報は、カテゴリ（施設分類）別とは異なる基準に基づいて施設と関連付けされたものである。第２のタグ情報には、ユーザのシチュエーションに適した施設を検索するためのシチュエーション検索用のキーワードが含まれるようになっている。
【００２５】
例えば、イタリアンレストランである「イタリアンＡ店」には、第１のタグ情報として「食べる」、「洋食」、「レストラン」が関連付けされており、第２のタグ情報として「店内」、「食べる」、「休む」、「持ち帰り」が関連付けされている。なお、これらのキーワードのうち、「店内」、「休む」、「持ち帰り」は、シチュエーション検索用のキーワードである。
【００２６】
また、洋食レストランである「レストランＢ店」には、第１のタグ情報として「食べる」、「洋食」、「レストラン」が関連付けされており、第２のタグ情報として「店内」、「食べる」、「休む」が関連付けされている。
【００２７】
また、コンビニエンスストアである「コンビニＣ店」には、第１のタグ情報として「コンビニ」が関連付けされており、第２のタグ情報として「食べる」、「持ち帰り」が関連付けされている。
【００２８】
公園である「緑地公園」には、第１のタグ情報として「公園」が関連付けされており、第２のタグ情報として「景色」、「遊び」、「休む」が関連付けされている。
【００２９】
本実施形態における制御部１９は、ジャンル検索とシチュエーション検索のいずれかのうち、ユーザにより選択された検索方法で施設検索を実施する。
【００３０】
図３に、制御部１９による施設検索機能を実施するための処理について説明する。ユーザの操作に応じてイグニッションスイッチがオンすると、ナビゲーション装置１は動作状態となり、ユーザにより施設検索を指示する操作が行われると、制御部１９は、図３に示す処理を実施する。
【００３１】
まず、施設検索画面を表示させる（Ｓ１００）。具体的には、ジャンル検索とシチュエーション検索のうちいずれか一方の選択を促す画面を表示させる。
【００３２】
次に、ジャンル検索とシチュエーション検索のどちらを実施するか否かを判定する（Ｓ１０２）。ここで、ユーザによりジャンル検索が選択操作された場合、ジャンル検索処理を実施する（Ｓ３００）。具体的には、施設と関連付けされた第１のタグ情報を利用して施設検索を実施し、本処理を終了する。このジャンル検索処理は、従来のナビゲーション装置に搭載されている機能と同様の技術を用いて実施されるものであり、ここでの詳細な説明は省略する。
【００３３】
また、ユーザによりシチュエーション検索が選択操作された場合は、シチュエーション検索処理を実施する（Ｓ２００）。
【００３４】
図４に、シチュエーション検索処理のフローチャートを示す。このシチュエーション検索処理では、まず、検索キーワードの受付を行う（Ｓ２０２）。具体的には、入力装置１７の操作スイッチを用いて入力される検索キーワードの受付を行う。
【００３５】
次に、検索キーワードをシチュエーションに適したキーワードに変換する（Ｓ２０４）。図２に示したように、第２のタグ情報には、ユーザのシチュエーションに適した施設を検索するためのシチュエーション検索用のキーワードが含まれている。ここでは、検索キーワードを、第１のタグ情報に含まれるキーワードあるいは第２のタグ情報に含まれるキーワードに変換する。具体的には、検索キーワードから抽出したキーワードを第１、第２のタグ情報に含まれるキーワードに変換するためのテーブルを有しており、このテーブルを用いて、検索キーワードを第１、第２のタグ情報に含まれるキーワードに変換する。例えば、Ｓ２０２にて「買って帰って食べたい」という検索キーワードが入力されている場合、「買って帰って」を「持ち帰り」に変換し、「食べたい」を「食べる」に変換する。また、「景色を見て休む」という検索キーワードが入力されている場合、「景色を見て」を「景色」に変換し、「休む」を「休む」とする。また、「飲食しながら休む」という検索キーワードが入力されている場合、「飲食しながら」を「食べる」に変換し、「休む」を「休む」とする。
【００３６】
次に、シチュエーションに適した施設を実施する（Ｓ２０６）。本実施形態では、第１のタグ情報と第２のタグ情報の両方を用いてユーザのシチュエーションに適した施設を実施する。例えば、Ｓ２０２にて「お店で食べたい」という検索キーワードが入力され、Ｓ２０４にて「店内」＋「食べる」に変換されている場合、図５に示すように、第２のタグ情報（図中、シチュエーション用キーワードに相当する）に含まれる「店内」で、かつ、第１のタグ情報（図中、カテゴリ）に該当する「食べる」に該当するイタリアンＡ店、レストランＢ店、喫茶Ｄ店が検索される。また、Ｓ２０２にて「買って帰って食べたい」という検索キーワードが入力され、Ｓ２０４にて「持ち帰り」＋「食べる」に変換されている場合には、第２のタグ情報に含まれる「持ち帰り」で、かつ、第１のタグ情報に含まれる「食べる」に該当するイタリアンＡ店、コンビニＣ店、喫茶Ｄ店が検索される。
【００３７】
次に、検索結果を表示部１６に表示させる（Ｓ２０８）。具体的には、検索結果を選択可能に一覧表示させる。
【００３８】
この一覧表示は、お店のジャンル（イタリアン店、コンビニ、喫茶店）に関係なく、現在位置から近い順に全て表示させるようにしても良いし、同じジャンルのものについては、代表的なお店を１つ表示するようにして、様々なジャンルのものを１つの画面で比較し易いようにしても良い。また、乗員（ドライバ）の嗜好（好み）を学習して、表示の際に、乗員が好むようなジャンルのお店に関しては、他のものと見分けがつくように、色、フォント等を変更するようにしても良い。
【００３９】
そして、ユーザにより選択された施設を目的地に設定し（Ｓ２１０）、本処理を終了する。
【００４０】
上記した構成によれば、予め定められた第１の基準に基づいて施設と関連付けされた第１のタグ情報を利用して検索を実施するジャンル検索（第１の検索手段に相当する）と、第１の基準と異なる第２の基準に基づいて施設と関連付けされた第２のタグ情報を利用して検索を実施するシチュエーション検索（第２の検索手段に相当する）と、を備え、ジャンル検索とシチュエーション検索のいずれかのうち、ユーザにより選択された検索手法で施設を検索するので、例えば、ジャンル検索でユーザの要望を満たすような検索結果が得られないような場合でも、シチュエーション検索でユーザの要望を満たすような検索結果を得ることが可能であり、タグ情報を利用して施設を検索する検索装置において、ユーザの要望を満たすような施設検索を可能とすることができる。
【００４１】
また、各施設に対して、施設をジャンル毎に分類する際に用いられる第１のタグ情報と、施設に関連する情報が格納された第２のタグ情報とを記憶した記憶媒体（記憶手段）と、第１のタグ情報を利用して施設を検索するジャンル検索（第１の検索手段に相当する）と、少なくとも第２のタグ情報を利用して施設を検索するシチュエーション検索（第２の検索手段に相当する）と、を備え、ジャンル検索とシチュエーション検索のいずれかにより、施設を検索するので、例えば、ジャンル検索でユーザの要望を満たすような検索結果が得られないような場合でも、シチュエーション検索でユーザの要望を満たすような検索結果を得ることが可能であり、タグ情報を利用して施設を検索する検索装置において、ユーザの要望を満たすような施設検索を可能とすることができる。
【００４２】
また、シチュエーション検索では、第２のタグ情報と、第１のタグ情報の両方を利用して検索を実施するので、第１のタグ情報を利用したジャンル検索で検索されない施設でも、シチュエーション検索では、第２のタグ情報と、第１のタグ情報の両方を利用して検索を実施するので、より、ユーザの要望を満たすような施設検索を可能とすることができる。
【００４３】
また、第２のタグ情報には、ユーザのシチュエーションに適した施設を検索するためのシチュエーション検索用のキーワードが含まれており、シチュエーション検索では、第２のタグ情報を利用してユーザのシチュエーションに適した施設検索が実施される。すなわち、第２のタグ情報を利用してユーザのシチュエーションに適した施設検索を行うことができる。
【００４４】
また、検索キーワードを受け付け、この受け付けられた検索キーワードを第２のタグ情報に含まれるユーザのシチュエーションに適したキーワードに変換し、シチュエーション検索は、この変換されたキーワードに基づいて、ユーザのシチュエーションに適した施設を検索するので、受け付けられた検索キーワードと第２のタグ情報に含まれるキーワードとが全く一致していなくても、ユーザの要望を満たすような検索結果を得ることが可能である。
【００４５】
（第２実施形態）
本実施形態に係る検索装置の構成は上記第１実施形態に示した構成と同じである。本実施形態に係る検索装置と、上記第１実施形態に係る検索装置とでは、シチュエーション検索処理が異なる。上記第１実施形態と同一部分については同一符号を付して説明を省略し、以下、異なる部分を中心に説明する。
【００４６】
図６に、本実施形態におけるシチュエーション検索処理のフローチャートを示す。このシチュエーション検索処理では、まず、目的地の設定を行う（Ｓ２２２）。具体的には、目的地の設定操作を促す画面を表示させ、ユーザ操作に応じた目的地設定を行う。
【００４７】
次に、出発地から目的地に至る最適な案内経路を探索する（Ｓ２２４）。なお、出発地の設定が特にない場合は、現在位置を出発地とする。
【００４８】
次に、設定された目的地に基づいてユーザのシチュエーションに適したキーワードを推測する（Ｓ２２６）。具体的には、設定された目的地から第１、第２のタグ情報に含まれるキーワードを推測するためのテーブルを有しており、このテーブルを用いて、設定された目的地から第１、第２のタグ情報に含まれるキーワードを推測する。例えば、自宅が目的地に設定された場合には、第１の情報に含まれるキーワードとして「食べる」、第２のタグ情報に含まれるキーワードとして「持ち帰り」を推定するようなテーブルを有しており、このテーブルを用いて、自宅が目的地に設定された場合には、第１の情報に含まれるキーワードとして「食べる」、第２のタグ情報に含まれるキーワードとして「持ち帰り」を推測する。
【００４９】
次に、推測したキーワードを用いてユーザのシチュエーションに適した検索を実施する（Ｓ２２８）。本実施形態では、第１、第２のタグ情報を利用してシチュエーション検索を実施する。
【００５０】
次に、検索結果を表示する（Ｓ２３０）。ここでは、ユーザのシチュエーションに適した検索結果から案内経路の周辺に絞り込んで検索結果を提示する。例えば、検索結果のうち案内経路沿いに位置する施設に絞り込んで検索結果を提示する。
【００５１】
上記した構成によれば、出発地および目的地を設定し、設定した目的地に基づいて第２のタグ情報に含まれるユーザのシチュエーションに適したキーワードを推測し、推測したキーワードに基づいてユーザのシチュエーションに適した施設を検索するので、シチュエーションに適したキーワードの入力を必要とすることなく、シチュエーションに適した施設検索の結果を得ることが可能である。
【００５２】
また、目的地に到る案内経路を探索するとともに、ユーザのシチュエーションに適した施設を検索し、案内経路の周辺に絞り込んで検索結果を提示するので、例えば、検索結果に、案内経路から遠く離れた場所の施設を含むように表示してユーザに煩わしさを感じさせてしまう、といったことを防止することが可能である。
【００５３】
（その他の実施形態）
上記実施形態では、第１の基準と異なる第２の基準に基づいて施設と関連付けされた第２のタグ情報と、第１の基準に基づいて施設と関連付けされた第１のタグ情報の両方を利用してシチュエーション検索を実施したが、第１の基準と異なる第２の基準に基づいて施設と関連付けされた第２のタグ情報のみを利用してシチュエーション検索を実施するようにしてもよい。この場合、例えば、よりユーザの要望を満たすような施設検索を可能となるように、第２のタグ情報が第１のタグ情報を包含するように構成すればよい。
【００５４】
また、上記第１実施形態では、Ｓ２０２にて入力装置１７の操作スイッチを用いて入力される検索キーワードの受付を行うように構成したが、マイクを用いた音声入力で検索キーワードの受付を行うように構成してもよい。
【００５５】
また、上記実施形態では、第２のタグ情報として、店内、食べる、休む、持ち帰り、景色、遊ぶ、宿泊等のキーワードを含むように構成したが、これらのキーワードに限定されるものではなく、例えば、ドライブイン、休憩、睡眠、読書、漫画、雑誌等を含むように構成し、例えば、「喫茶店」、「雑誌」を検索キーワードとして入力すると、雑誌が置いてあるカフェや漫画喫茶等が検索されるように構成したり、「食事」、「ドライブイン」を検索キーワードとして入力すると、ドライブスルーの設置されたハンバーガーショップが検索されるように構成することができる。
【００５６】
また、上記第２実施形態では、シチュエーション検索処理について、自宅を目的地に設定する場合を例に説明したが、自宅以外の施設または地点を目的地に設定する場合に適用することもできる。
【００５７】
また、上記第２実施形態では、Ｓ２３０にて、ユーザのシチュエーションに適した検索結果から案内経路の周辺に絞り込んで検索結果を提示するようにしたが、このような手法に限定さえるものではなく、例えば、現在地から目的地に向かって所定角度（例えば、左右３０度）の範囲内に存在する施設に絞り込んで提示するように構成してもよい。
【００５８】
また、上記第１実施例と第２実施例では、ジャンル検索（第１の検索手段に相当する）とシチュエーション検索（第２の検索手段に相当する）とをユーザにより選択することを前提としているが、例えば、ユーザが音声入力したときには、シチュエーション検索を使って自動的に検索するようにしても良い。
【００５９】
なお、上記実施形態における構成と特許請求の範囲の構成との対応関係について説明すると、Ｓ３００が第１の検索手段に相当し、Ｓ２００が第２の検索手段に相当し、Ｓ２０２が受付手段に相当し、Ｓ２０４がキーワード変換手段に相当し、Ｓ２２２が目的地設定手段に相当し、Ｓ２２６がキーワード推測手段に相当し、Ｓ２２４が経路探索手段に相当する。
【符号の説明】
【００６０】
１    ナビゲーション装置
１０  自車位置検出器
１１  ＧＰＳ受信機
１２  ジャイロスコープ
１３  車速センサ
１４  地磁気センサ
１５  地図データ入力器
１６  表示部
１７  入力装置
１８  音声出力装置
１９  制御部
【図１】
2014016893.tif 000003
【図２】
2014016893.tif 000004
【図３】
2014016893.tif 000005
【図４】
2014016893.tif 000006
【図５】
2014016893.tif 000007
【図６】
2014016893.tif 000008